【手続補正書】
【提出日】平成20年2月8日(2008.2.8)
【手続補正１】
【補正対象書類名】明細書
【補正対象項目名】００５７
【補正方法】変更
【補正の内容】
【００５７】
垂直駆動信号V1〜V8が印加されたときに、垂直転送素子V1〜V8には、図9, 11に示すポテンシャルが形成される。図９は第１フィールド、図11は第２フィールドを示す。これは、図３に示す垂直転送路144a, 144bのうち、１列分を示す。
【手続補正２】
【補正対象書類名】明細書
【補正対象項目名】００６４
【補正方法】変更
【補正の内容】
【００６４】
これを図３に示す。図3(b)、3(c)は、図3(a)に示す受光部140a, 140bのAA断面図であり、図3(b)は、平行光146が、マイクロレンズMLおよび色フィルタCFを通って受光部140a, 140bに入射する場合を示し、図3(c)は、斜め光148が、マイクロレンズMLおよび色フィルタCFを通って受光部140a, 140bに入射する場合を示す。受光部140a, 140b同士の間には、素子分離領域142があり、受光部140同士の間には、遮光膜150が設けられている。
【手続補正３】
【補正対象書類名】明細書
【補正対象項目名】００６５
【補正方法】変更
【補正の内容】
【００６５】
図からわかるように、望遠撮影または小絞り時等の平行光146が入射するときは、受光部140aに入る光と、受光部140bに入る光は分離されている。したがって、横方向に左右から来る光を区別することができる。一方、広角撮影または開放レンズ時等の斜め光148が入射するときは、受光部140aに入る光と、受光部140bに入る光は分離されていない。したがって、受光部140aに入る光と、受光部140bに入る光を混合しても問題はない。
【手続補正４】
【補正対象書類名】明細書
【補正対象項目名】００８６
【補正方法】変更
【補正の内容】
【００８６】
このように構成したデジタルスチルカメラ10の動作について図16により説明する。まず、最初にデジタルスチルカメラ10では、撮影を行う前に被写界に対して測光を行う。ステップS1で、レリーズシャッタ128 が半押し状態にある（S1 ON）と判断すると、測光制御モードになる(ステップS2)。
【手続補正５】
【補正対象書類名】明細書
【補正対象項目名】００８８
【補正方法】変更
【補正の内容】
【００８８】
絞り値（Ｆ）が決定されると、絞り値が、所定の絞り値(F-TH)より小さかどうかが判定される(ステップS3)。小さいときは、水平２画素混合モードが選択され(ステップS4)、絞り値が、所定の絞り値(F-TH)以上のときは、非混合モードが選択される(ステップS5)。
【手続補正６】
【補正対象書類名】明細書
【補正対象項目名】００８９
【補正方法】変更
【補正の内容】
【００８９】
この後、ユーザは所望の撮影タイミングでレリーズシャッタ128 を全押し状態にする(ステップS6, S7でYESのとき)。このとき、撮像部10Aで撮像が行なわれ、水平２画素混合モードのときは、水平転送部で既述のように混合が行なわれ(ステップS8)、非混合モードのときは、水平転送部では混合を行なわない(ステップS9)。
【手続補正７】
【補正対象書類名】明細書
【補正対象項目名】００９０
【補正方法】変更
【補正の内容】
【００９０】
撮像した画像信号は、信号処理系10B のA/D 変換部112 でデジタル信号にされた後、信号処理部114 に供給される。信号処理部114 では、混合モードでは、通常の画素数でのハニカム処理が行なわれ(ステップS10)、非混合モードでは、画素数の多い高解像ハニカム処理が行なわれる(ステップS11)。いずれの処理においても、画素数の異なる点を除いて同様の処理が行われる。
【手続補正８】
【補正対象書類名】明細書
【補正対象項目名】００９１
【補正方法】変更
【補正の内容】
【００９１】
その後、圧縮／伸張処理部118 では、圧縮処理が施され、信号出力系10D に出力される。システム制御部12内の記録制御部の制御により供給される全画素の画像データが記録再生部126 に記録される。(ステップS12)
次に、本発明の第２の実施例について説明する。上記の実施例では、画素ごとに１つのマイクロレンズを有していたが、本実施例では、１つの画素に含まれる２つの受光部はそれぞれ１つのマイクロレンズを有し、マイクロレンズにより、入射光を受光部ごとに集光する。同一画素に含まれる複数の受光部からの信号電荷を、ユーザからの指示により、たとえば、連写モードという指定がされると、１つにまとめて処理する。なお、以下では上記の実施例と同一の部分には同一の参照符号を付し、その説明は省略する。
【手続補正９】
【補正対象書類名】明細書
【補正対象項目名】００９９
【補正方法】変更
【補正の内容】
【００９９】
各受光素子140は、垂直転送路144の転送方向(図において上から下に向かう方向)に、素子分離領域142によって、受光面積が同じ２個の受光部140a、140bに分割されている。受光素子140の配列は、いわゆるハニカム配列になっている。受光素子G1, B2, B3, R2, R3, G4, G5, B6, B7, R6, R7, G8の参照符号に含まれる数字1〜8は、垂直転送電極の識別番号に対応する。図19の色フィルタCFの配列は、GストライプRB完全市松である。
【手続補正１０】
【補正対象書類名】明細書
【補正対象項目名】０１０９
【補正方法】変更
【補正の内容】
【０１０９】
このように構成したデジタルスチルカメラの動作について図21により説明する。まず、最初にデジタルスチルカメラでは、撮影を行う前に被写界に対して測光を行う。ステップS1で、レリーズシャッタ128 が半押し状態にある（S1 ON）と判断すると、測光制御モードになる(ステップS2)。
【手続補正１１】
【補正対象書類名】明細書
【補正対象項目名】０１１１
【補正方法】変更
【補正の内容】
【０１１１】
シャッタスピードが決定されると、シャッタスピードが、所定のシャッタスピード(S-TH)より小さいかどうかが判定される(ステップS32)。小さいときは、プログレッシブモードが選択され(ステップS41)、シャッタスピードが、所定のシャッタスピード(S-TH)以上のときは、インターレスモードが選択される(ステップS51)。
【手続補正１２】
【補正対象書類名】明細書
【補正対象項目名】０１１２
【補正方法】変更
【補正の内容】
【０１１２】
この後、ユーザは所望の撮影タイミングでレリーズシャッタ128 を全押し状態にする(ステップS6, S7でYESのとき)。このとき、撮像部10Aで撮像が行なわれ、プログレッシブモードのときは、垂直タイミング信号TG1, TG3, TG5, TG7が立ち上がり信号になる(ステップS14)。プログレッシブモードのためメカニカルシャッタは閉としない。不要信号電荷がある場合はオーバフロードレイン方式により廃棄される。インターレスモードのときは、メカニカルシャッタを閉(ステップS15)とした後、第１フィールドの転送を行なうため、垂直タイミング信号TG1, TG5, TG4, TG8を立ち上がり信号にして、読み出した後、垂直転送を行なう(ステップS16)。次に、第２フィールドの転送を行なうため、垂直タイミング信号TG3, TG7, TG2, TG6を立ち上がり信号にして、読み出した後、垂直転送を行なう(ステップS17)。
【手続補正１３】
【補正対象書類名】明細書
【補正対象項目名】０１１３
【補正方法】変更
【補正の内容】
【０１１３】
信号処理部では、プログレッシブモードでは、通常の画素数でのハニカム処理が行なわれ、インターレスモードでは、画素数の多い高解像ハニカム処理が行なわれる(ステップS18)。いずれの処理においても、画素数の異なる点を除いて同様の処理が行われる。
【手続補正１４】
【補正対象書類名】明細書
【補正対象項目名】０１１５
【補正方法】変更
【補正の内容】
【０１１５】
図22に分割線の設定の一例を示す。本実施例では、放射状に設定した情況に似た例として、撮像面168を縦横に３分割して、次のように設定する。全体としては９分割し、中心部の領域166a, 166b, 166cでは、受光素子140の分割線（素子分離領域142）の方向は縦方向であり、他の領域では、横方向(水平方向)である。両側の領域では、入射光線は横向き成分が多いと考えられるため、水平方向に分割することにより、均等に受光することができる。本図における実線、点線は、図23に示すように、実線170は、広角時結像エリアであり、点線172は、望遠時結像エリアである。
【手続補正１５】
【補正対象書類名】図面
【補正対象項目名】図１
【補正方法】変更
【補正の内容】
【図１】
2006121650.tif 000001
【手続補正１６】
【補正対象書類名】図面
【補正対象項目名】図２２
【補正方法】変更
【補正の内容】
【図２２】
2006121650.tif 000002